(57)【要約】      （修正有）【課題】犬や猫などのペットの抜毛や肌・毛に付着した塵・蚤・ダニ等を周囲に飛散させる事なく回収しながらブラッシングすることが出来、なお且つブラシピンに絡みついた抜毛を簡単な操作で除去回収できる構造とするペット用ブラシ。【解決手段】ブラッシングをする時は、固定翼１０・１１を固定溝１２に挿入してブラシ部を吸引函２に固定し掃除機ホース差込部６を家庭用掃除機のホースに接続して掃除機を稼動させ、その吸引力を利用する。ブラシ部は、ハンドル３を引けば前後固定翼１０・１１が前後固定溝１２から外れ円筒回転軸９を中心として回転する事ができる。そこでブラシピン１の先端を吸引方向に向けるとブラシピン間に設けられた通気孔７からの風力が絡みついた抜毛を押す力となりブラシピン１から抜毛を除去吸引される。【選択図】図１
0003131175.tif 000002
【実用新案登録請求の範囲】
【請求項１】
家庭用掃除機の吸引力を利用したペット用ブラシであって、ブラシピン先端が吸引方  向に向けられる事が出来るようにブラシ部に回
転軸を持つことを特徴とするペット用ブラシ。
【請求項２】
前記ブラシ部は前記ブラシピン根元付近に通気孔を有することを特徴とする前記請求項１記載のペット用ブラシ。
【請求項３】
前記ブラシ部はブラッシング中に前記回転軸を中心とした回転をしないように固定することが出来る構造を持つことを特徴とする前記
求項１記載のペット用ブラシ。
【考案の詳細な説明】
【技術分野】
【０００１】
本考案は、犬や猫などのペットをブラッシングするために用いるブラシに関し、抜毛や、毛に付着する塵やダニ等を吸引しながらブラッシングすることができるペット用ブラシに関するものである。
【背景技術】
【０００２】
従来の一般的な獣毛ブラシを用い犬や猫などのペットのブラッシングを行うと、抜毛が飛散したり、ブラシピンに絡みつきブラッシングの効率が落ちブラシクリーナーを必要としたりと後始末に手間がかかるものであった。特に換毛期には大量の抜毛が発生しブラシピンに絡みついた除去処理を頻繁に行う必要があった。
【０００３】
そこで抜毛を回収しつつブラッシングすることのできるブラシとして家庭用掃除機の吸引力を利用したものが種々提案されているが、ブラシピンに絡みついた抜毛を除去する方法として、ブラシピンを挿通孔に差し通しブラシピンを移動させる方法や、ブラシピン挿通可能な貫通孔が設けられているスクレーバをブラシピンに挿入し、そのスクーバを摺動させる方法等があるが、いずれもブラシピンと孔との間に抜毛が挟まる恐れがあり作動不能となる可能性があるとともに、構造が複雑である。
【０００４】
なお、本願考案に関連する公知技術として次の特許文献を挙げることができる。
【０００５】
【特許文献１】特許公開２００６−０６８４８５                    実用新案公開平６−５０４５２
【考案の開示】
【考案が解決しようとする課題】
【０００６】
犬や猫などのペットの抜毛や肌・毛に付着した塵・蚤・ダニ等を周囲に飛散させる事なく回収しながらブラッシングすることが出来、なお且つブラシピンに絡みついた抜毛を簡単な操作で除去回収できる構造とするペット用ブラシの提供。
【課題を解決するための手段】
【０００７】
ブラシの縦中心に回転軸とブラシ両端に固定翼を持つブラシ部は、吸引函と組み立てられ、その吸引函は自在継手と曲折可能なホース
を介し家庭用掃除機に接続する。吸引函よりブラシピンが出る方向でブラシ部の固定翼を吸引箱の固定溝に差込みブラシ部を固定し、家庭用掃除機を稼動させ吸引力を利用してブラッシングを行う。抜毛や肌・毛に付着した塵・蚤・ダニ等はブラシ部の両脇の吸引箱との間隙と、ブラシピンの根元に設けられた通気孔から吸引される。しかしブラッシング中にもブラシピン間には抜毛が絡まり続け蓄積される。
そこでブラシ部回転軸に直結されたハンドルを引くと吸引函の固定溝からブラシ部の固定翼が引き出され回転軸を中心として左右どちらの方向にも回転出来る状態となる。ハンドルを１８０度回転させ離すとスプリングの力によりブラシ部の固定翼が吸引函の固定溝に差し込まれ固定される。この時ブラシピン先端は吸引方向に向かい、ブラシピン間に設けられた通気孔からの風力が絡みついた抜毛を押す力となりブラシピンから抜毛を除去吸引される。再びハンドルを引き１８０度回転させ離すとスプリングの力によりブラシ部の固定翼が吸引函の固定溝に差し込まれて固定され、ブラッシングが出来る状態となる。このようにハンドルによるブラシ部の方向を変えるだけでブラッシングと抜毛の除去を行うことができる。
【考案の効果】
【０００８】
以上説明したように本考案によれば、従来のペット用ブラシによるブラッシング中における抜毛の周囲への飛散やブラシピンに絡みついた抜毛の除去処理が無くなるばかりでなく、塵・蚤・ダニ等を吸引除去するためシャンプーの回数も減らすことが出来、また駆除剤の薬品の必要も無くなる。
【考案を実施するための最良の形態】
【０００９】
片手で操作できるように小形軽量とし、且つ吸引ホースに捻れが生じないようにした。
【実施例１】
【００１０】
図１は、本考案の１実施例の外観斜視図であって、ブラシ部と吸引函２は、回転できる自在継手４と柔軟であるが吸引圧力で潰れない
ホース５と差込部６を経て家庭用掃除機ホースへとつなげられる。
【００１１】
吸引函２は例えば、Ｗ１５０mm×Ｈ８０mm×Ｄ７０mmの寸法を有し底部前方は後方に向け傾斜がつき、後部は内径３５mmの円筒形となっている。
【００１２】
ブラシ部のブラシピン１は例えば、底部径２mm頂部径１mm長さ２０mmの円錐形のピンが５mm間隔で１７本を有したものを１列とし、列間隔６mmで平行に４列とし列間には通気孔７のある硬質ゴムで一体成型されたもの。
【００１３】
ブラシ部は、円筒回転軸９・前方ブラシ部固定翼１０・ブラシピン取付部分・後方ブラシ部固定翼１１・スプリング取付部分・ハンドル取付部分を硬質プラスチックで一体成型した物に上記ブラシピン１を貼付け、スプリング８とハンドル３を組立てたものからなる。
【００１４】
ブラシ部のブラシピン１の列間には、幅３mm長さ４１mmの通気孔７が６箇所設けられ、ブラッシング時には抜毛や肌・毛に付着した塵・蚤・ダニ等はここからも吸引される。
【００１５】
前方ブラシ部固定翼１０は前方固定溝１３に、後方ブラシ部固定翼１１は後方固定溝１２に挿入されていて、ブラシ部は吸引函に固定されてブラッシングが出来る状態である。
【００１６】
ハンドル３はブラシ部と連結されているので手前に引けばブラシ部固定翼１０・１１は固定溝１３・１２から離れ、左右どちらの方向にも回転でき１８０度回転させればブラシピン１を吸引方向に向けることが出来る。
【００１７】
自在継手４は、ホース５の捻れを無くする為と使い勝手を良くする為に回転できるものとする。
【００１８】
ホース５は家庭用掃除機の使用音を遠ざけるためと取り回しを良くする為に、例えば長さ１５００mmとする。
【実施例２】
【００１９】
図２は、本考案の１実施例の縦断面図である。
ブラシ部は通常の位置にありブラッシング中の状態である。抜毛や肌・毛に付着した塵・蚤・ダニ等はブラシ部の両脇の吸引箱との間隙と、ブラシピン１の根元に設けられた通気孔７から吸引される。しかしブラッシング中にもブラシピン間には抜毛が絡まり続け蓄積される。
【実施例３】
【００２０】
図３は、本考案の１実施例の縦断面図である。
ブラシ部は通常の位置より１８０度回転させブラシピン１先端は吸引方向に向いた状態である。この時ブラシピン間に設けられた通気孔７からの風力が絡みついた抜毛を押す力となりブラシピン１から抜毛を除去吸引される。
【図面の簡単な説明】
【００２１】
【図１】ペット用ブラシの実施方法を示した説明図である。（実施例１）
【図２】ペット用ブラシの実施方法を示した説明図である。（実施例２）
【図３】ペット用ブラシの実施方法を示した説明図である。（実施例３）
【図４】本考案の実施の形態に係るペット用ブラシのブラシ部と吸引函２の平面図である。
【図５】本考案の実施の形態に係るペット用ブラシのブラシ部と吸引函２の正面図である。
【図６】本考案の実施の形態に係るペット用ブラシのブラシ部と吸引函２の側面図である。左図は左側面図、右図は右側面図である。
【図７】本考案の実施の形態に係るペット用ブラシの吸引函２の平面図である。
【図８】本考案の実施の形態に係るペット用ブラシの吸引函２の正面図と断面位置である。
【図９】本考案の実施の形態に係るペット用ブラシの吸引函２の正面図（図８）の断面位置においての（g）はG―G線断面図、（h）はH―H線断面図、（i）はI−I線断面図、(ｊ)はI−I線断面図、である。
【図１０】本考案の実施の形態に係るペット用ブラシのブラシ部の平面図である。
【図１１】本考案の実施の形態に係るペット用ブラシのブラシ部を示し、（イ）は正面図、（a）は（イ）中A―A線断面図、（b）は（イ）中B―B線断面図、(ｃ)は（イ）中C―C線断面図、（e）は（イ）中E―E線断面図、(ｆ)は（イ）中F―F線断面図である。
【図１２】本考案の実施の形態に係るペット用ブラシのハンドルを引いた状態を示す平面図である。
【図１３】本考案の実施の形態に係るペット用ブラシのハンドルを引いた状態を示す正面図である。
【図１４】本考案の実施の形態に係るペット用ブラシのハンドルを右に９０度回転した状態を示す平面図である。
【図１５】本考案の実施の形態に係るペット用ブラシのハンドルを右に９０度回転した状態を示す正面図である。
【図１６】本考案の実施の形態に係るペット用ブラシのハンドルを右に９０度回転した状態を示す（a）は左側面図、（b）は右側面図である。
【図１７】本考案の実施の形態に係るペット用ブラシのハンドルを右に１８０度回転した状態を示す（a）は左側面図、（b）は右側面図である。
【符号の説明】
【００２２】
１    ブラシ部
２    吸引函
３    ハンドル
４    自在継手
５    ホース
６    掃除機ホース差込部
７    通気孔
８    スプリング
９    円筒回転軸
１０    前方固定翼
１１    後方固定翼
１２    後方固定溝
１３    前方固定溝
１４    吸引函軸
【図１】
0003131175.tif 000003
【図２】
0003131175.tif 000004
【図３】
0003131175.tif 000005
【図４】
0003131175.tif 000006
【図５】
0003131175.tif 000007
【図６】
0003131175.tif 000008
【図７】
0003131175.tif 000009
【図８】
0003131175.tif 000010
【図９】
0003131175.tif 000011
【図１０】
0003131175.tif 000012
【図１１】
0003131175.tif 000013
【図１２】
0003131175.tif 000014
【図１３】
0003131175.tif 000015
【図１４】
0003131175.tif 000016
【図１５】
0003131175.tif 000017
【図１６】
0003131175.tif 000018
【図１７】
0003131175.tif 000019
【手続補正書】
【提出日】平成19年2月8日(2007.2.8)
【手続補正１】
【補正対象書類名】実用新案登録請求の範囲
【補正対象項目名】請求項３
【補正方法】変更
【補正の内容】
【請求項３】
前記ブラシ部はブラッシング中に前記回転軸を中心とした回転をし
ないように固定することが出来る構造を持つことを特徴とする前記請
求項１記載のペット用ブラシ。